(57)【要約】【課題】入力を要する文字の数より少ないキースイッチの数をもって、文字の選択入力を容易にする文字入力方法と装置を提供する。【解決手段】被選択文字群を、母音に対応する母音文字群６と子音に対応する第１の子音文字群７に分けるとともに、文字入力用択一選択キースイッチ群２Ａのキースイッチ２の数に応じて、前記第１の子音文字群７を複数の第２の子音文字群８に分け、その複数の第２の子音文字群８それぞれに、前記母音文字群６を対応させて、各第２の子音文字群８が母音文字群６を含む択一選択文字群９を複数形成し、この複数の択一選択文字群９を択一的に選択して、その選択された択一選択文字群９の各文字を、文字入力用択一選択キースイッチ群２Ａを介して択一選択して、文字を入力すること。【選択図】        図１
2005078107.tif 000002
【特許請求の範囲】
【請求項１】
被選択文字群の文字種より少ないキースイッチ数でなる文字入力用択一選択キースイッチ群により、文字を選択入力する文字入力方法であって、
被選択文字群を、母音に対応する母音文字群と子音に対応する第１の子音文字群に分けるとともに、文字入力用択一選択キースイッチ群のキースイッチの数に応じて、前記第１の子音文字群を複数の第２の子音文字群に分け、その複数の第２の子音文字群それぞれに、前記母音文字群を対応させて、各第２の子音文字群と母音文字群を含む複数の択一選択文字群を形成し、この複数の択一選択文字群を択一的に選択して、その選択された択一選択文字群の各文字を、文字入力用択一選択キースイッチ群を介して択一選択して、文字を入力することを特徴とする、電子機器に対する文字入力方法。
【請求項２】
被選択文字群の文字種より少ないキースイッチ数でなる文字入力用択一選択キースイッチ群により、文字を選択入力する文字入力方法であって、
被選択文字群を、母音に対応する母音文字群と子音に対応する第１の子音文字群に分けるとともに、文字入力用択一選択キースイッチ群のキースイッチの数に応じて、前記第１の子音文字群を複数の第２の子音文字群に分け、その複数の第２の子音文字群それぞれを、前記母音文字群と選択的に対応させて、第２の子音文字群と母音文字群を含む択一選択文字群を形成し、この形成された択一選択文字群の各文字を、文字入力用択一選択キースイッチ群を介して択一選択して、文字を入力することを特徴とする、電子機器に対する文字入力方法。
【請求項３】
被選択文字群が、表音文字である、請求項１又は２に記載の電子機器に対する文字入力方法。
【請求項４】
被選択文字群が、発音記号である、請求項１又は２に記載の電子機器に対する文字入力方法。
【請求項５】
被選択文字群が、表音文字の発音を表記する字画である、請求項１又は２に記載の電子機器に対する文字入力方法。
【請求項６】
文字入力用択一選択キースイッチ群のキースイッチの数が１０個である、請求項１〜５いずれかに記載の電子機器に対する文字入力方法。
【請求項７】
第２子音文字群が、第１の子音文字群を複数の第２の子音文字群に分ける際に、各子音の出現頻度を考慮して分けてある、請求項１〜６いずれかに記載の電子機器に対する文字入力方法。
【請求項８】
第２子音文字群が、第１の子音文字群を複数の第２の子音文字群に分ける際に、特定の子音同士が隣接して出現する頻度を考慮して、複数の子音文字群に分けてある、請求項１〜７いずれかに記載の電子機器に対する文字入力方法。
【請求項９】
第２子音文字群が、第１の子音文字群を複数の第２の子音文字群に分ける際に、重複する子音文字を含ませてある、請求項１〜８いずれかに記載の電子機器に対する文字入力方法。
【請求項１０】
被選択文字群を、母音に対応する母音文字群と子音に対応する第１の子音文字群に分けるとともに、第１の子音文字群を、この被選択文字群を択一選択するキースイッチの数に応じて、複数の第２の子音文字群に分け、さらに、この複数の第２の子音文字群それぞれに、前記母音文字群を組み合わせて、複数の択一選択文字群を形成し、この複数の択一選択文字群における被選択文字群を、被選択文字群の文字種の数より少ない数でなる文字入力用の択一選択キースイッチ群を介して選択入力するようにしたキースイッチ手段であって
前記キースイッチ手段は、
前記複数の択一選択文字群のいずれかを選択した際、選択された択一選択文字群の母音文字群が、恒常的に割り付けられる第１の文字入力用のキースイッチ群と、
同じく複数の択一選択文字群のいずれかを選択した際、選択された択一選択文字群の第２の子音文字群が割り付けられる第２の文字入力用のキースイッチ群と、
前記第１または第２の文字入力用のキースイッチ群におけるいずれかのキースイッチと組み合わされて、複数の択一選択文字群のいずれかを選択する機能スイッチ
を備えることを特徴とする、電子機器に対する文字入力装置。
【請求項１１】
被選択文字群を、母音に対応する母音文字群と子音に対応する第１の子音文字群に分けるとともに、第１の子音文字群を、この被選択文字群を択一選択するキースイッチの数に応じて、複数の第２の子音文字群に分け、さらに複数の第２の子音文字群のいずれかを選択した際、選択された子音文字群に、前記母音文字群を組み合わせて、択一選択文字群を形成し、この択一選択文字群における被選択文字群を、被選択文字群の文字種の数より少ない数でなる文字入力用の択一選択キースイッチ群を介して選択入力するようにしたキースイッチ手段であって、
前記キースイッチ手段は、
被選択文字の入力に際し、恒常的に母音文字群が割り付けられる第１の文字入力用のキースイッチ群と、
前記第２の子音文字群のいずれかを選択した際、選択された第２の子音文字群が割り付けられる第２の文字入力用のキースイッチ群と、
前記第１または第２の文字入力用のキースイッチ群におけるいずれかのキースイッチと組み合わされて、複数の第２の子音文字群のいずれかを選択する機能スイッチを
備たことを特徴とする電子機器に対する文字入力装置。
【請求項１２】
キースイッチ手段が、３列４行のマトリクス構造をなし、周辺に１０個の文字入力用キースイッチ群を、中央に２個の機能スイッチを配置し、文字入力用キースイッチ群の上半分を、第１の文字入力用のキースイッチ群、下半分を第２の文字入力用のキースイッチ群となしてある、請求項１０又は１１に記載の電子機器に対する文字入力装置。
【請求項１３】
キースイッチ手段が、第１及び第２の文字入力用のキースイッチ群の周辺と、機能スイッチの周辺を、囲み線をもって目視的に区分してある、請求項１２記載の電子機器に対する文字入力装置。
【請求項１４】
キースイッチ手段が、第１の文字入力用キースイッチ群と第２の文字入力用のキースイッチ群を、上下に円をなすように円弧状に配列し、その円弧状の第１と第２の文字入力用のキースイッチ群の円内に、４個の機能スイッチを、４方向操作指示をなすキー配列をもって配置してある、請求項１０又は１１に記載の電子機器に対する文字入力装置。
【請求項１５】
４方向操作指示をなすキー配列をもって配置した４個のキースイッチの中央に、５個目の機能スイッチを配置してなる、請求項１４に記載の電子機器に対する文字入力装置。
【請求項１６】
キースイッチ手段が、第１の文字入力用キースイッチ群と第２の文字入力キースイッチ群を、１列に直列配置するとともに、機能キースイッチを、２個並びにして、第１と第２の文字入力キースイッチ群の間に直列配置してある、請求項１０又は１１に記載に記載の電子機器に対する文字入力装置。
【請求項１７】
キースイッチ手段が、第１の文字入力用キースイッチ群と第２の文字入力キースイッチ群を、それぞれ一列に直列配置するとともに、その第１と第２の文字入力用キースイッチ群を並列に配置し、かつ２個の機能キースイッチを、前記第１と第２の文字入力用キースイッチ群の側端にそれぞれ直列配置してある、請求項１０又は１１に記載の電子機器に対する文字入力装置。
【請求項１８】
第１と第２の文字入力用キースイッチ群が、それぞれに５個のキースイッチをもってなる、請求項１４〜１７のいずれかに記載の電子機器に対する文字入力装置。
【請求項１９】
キースイッチ手段が、第１、第２の文字入力用のキースイッチ群と機能スイッチの各キートップ模様を表示した画像表示画面と、その画像表示画面のキートップ模様を指し示すポインティング手段とにより、スイッチ機能を達成するスイッチ群でなる、請求項１０〜１８のいずれかに記載の電子機器に対する文字入力装置。
【請求項２０】
ポインティング手段が、画像表示画面の前面に設けられたタッチパネルである、請求項１９に記載の電子機器に対する文字入力装置。
【請求項２１】
ポインティング手段が、画像表示画面中を移動するカーソルポインターである、請求項１９に記載の電子機器に対する文字入力装置。
【請求項２２】
画像表示画面が、第１と第２のいずれか１方もしくは両方の文字入力用のキースイッチ群に、択一選択可能に割り当てられた文字の画像を、択一選択スイッチ群と関連付けして表示している、請求項１９〜２１のいずれかに記載の電子機器に対する文字入力装置。
【請求項２３】
キースイッチ手段が、複数の択一選択文字群のいずれか、もしくは複数の第２の子音文字群のいずれかを、択一選択するようにした、機能スイッチと、第１または第２の文字入力用のキースイッチ群におけるいずれかのキースイッチとの組み合わせを代行するようにした、複数の直接選択機能スイッチを備えている、請求項１９〜２２のいずれかに記載の電子機器に対する文字入力装置。
【請求項２４】
直接選択機能スイッチが、画像表示画面にキートップ模様を表示し、このキートップ模様を、ポインティング手段により指し示すことによりスイッチ機能を達成する機能スイッチである、請求項２３に記載の電子機器に対する文字入力装置。
【発明の詳細な説明】
【０００１】
【発明の属する技術分野】
本発明は、コンピュータの入力端末や多機能なディジタル装置の入力端末、及び携帯用ディジタル端末に使用する電子機器に対する文字入力方法とその装置に関する。
【０００２】
【従来の技術】
電子機器、例えばコンピュータの文字入力装置としては、キースイッチと文字を１対１に対応させたフルキーボードが最も入力効率が高く、汎用性のあるマンマシンインターフェイスとして多用されている。
【０００３】
その他、ディジタル機器やディジタルテレビ、および携帯式電話機等の電子機器用の文字入力のマンマシンインターフェイスには、入力を要する文字の文字種より少ない数のキースイッチを用いた各種の入力方式が提案されている。
【０００４】
例えば、携帯電話においては、アルファベッド（英字またはローマ字）の入力について、数字記号を除く２６種の文字を、１２個のキースイッチに割り当てて、１個のキーに複数の文字を対応させて、文字を選択するようになっている。
【０００５】
日本の携帯電話においては、文字がアルファベッドの場合に、実質的には、１２個のキースイッチの内、８個のキーに対して、１つのキーに３個または４個の文字が割り当てられ、選択は、１つのキーを複数回続けて押して選択するようになっている。
【０００６】
その他にも、複数個のキーを同時に押して文字種を選択するもの、複数個のキーを時系列的に連続させて、順次に押して選択するもの（多ストローク）等がある。
【０００７】
なお、本発明の発明者でもある出願人は、従来技術に関する特許文献などの資料情報は、持ち合わせていない。
【０００８】
【発明が解決しようとする課題】
使用される文字種の数よりキースイッチの数が少ない文字入力用のマンマシンインターフェイスにおいては、以下のような課題がある。
【０００９】
１つのキーに複数の文字を割り当てるものは、同一キーに割り当てられた文字を続けて入力する場合に、確定操作を必要とし、かつ文字種が多くなると、１つのキーに割り当てられる文字の数を増し、キーポジションと文字種の関連を覚えるのが困難になる。
【００１０】
複数のキーを同時に押して文字を選択するものは、複数のキーを同時に操作する手指の訓練が必要で、マンマシンインターフェイスとしては、操作者の個人差や訓練不可能な者を生じ、すべての人に対して均等に使用されない。
【００１１】
複数個のキーを時系列的に連続させて、順次に押して１つの文字を選択する多ストローク式のものは、マンマシンインターフェイスとしてのキーの操作は単純であるが、１つの文字に対して複数回のキー操作を必要とし、その各キーの組み合わせを覚えるのが困難であるとともに、入力文字を表音文字とする場合に、文字を並べて作る単語の拍と不整合を生じて、言葉や単語としての入力に適さない。
【００１２】
本発明は、上記問題点に鑑みてなされたもので、入力を要する文字種の数より少ないキースイッチの数をもって、入力する複数の文字を単語として認識容易にするとともに、母音の文字においては特定のキースイッチに固定的に割り付けて、キースイッチと選択すべき入力文字の対応を、分かり易く、かつ覚え易くするとともに、子音文字についても少ない数のキースイッチ群に分配的に割り付けて、目視的にも狭い範囲で選択キーを探すので、見つけやすく、また覚えやすく、文字の選択入力を容易にする文字入力方法とその装置を提供することを目的としている。
【００１３】
【課題を解決するための手段】
本発明によると、上記課題は、次のようにして解決される。
【００１４】
（１）  被選択文字群の文字種より少ないキースイッチ数でなる文字入力用択一選択キースイッチ群により、文字を選択入力する文字入力方法であって、
被選択文字群を、母音に対応する母音文字群と子音に対応する第１の子音文字群に分けるとともに、文字入力用択一選択キースイッチ群のキースイッチの数に応じて、前記第１の子音文字群を複数の第２の子音文字群に分け、その複数の第２の子音文字群それぞれに、前記母音文字群を対応させて、各第２の子音文字群と母音文字群を含む複数の択一選択文字群を形成し、この複数の択一選択文字群を択一的に選択して、その選択された択一選択文字群の各文字を、文字入力用択一選択キースイッチ群を介して択一選択して、文字を入力することにより。
【００１５】
（２）  被選択文字群の文字種より少ないキースイッチ数でなる文字入力用択一選択キースイッチ群により、文字を選択入力する文字入力方法であって、
被選択文字群を、母音に対応する母音文字群と子音に対応する第１の子音文字群に分けるとともに、文字入力用択一選択キースイッチ群のキースイッチの数に応じて、前記第１の子音文字群を複数の第２の子音文字群に分け、その複数の第２の子音文字群それぞれを、前記母音文字群と選択的に対応させて、第２の子音文字群と母音文字群を含む択一選択文字群を形成し、この形成された択一選択文字群の各文字を、文字入力用択一選択キースイッチ群を介して択一選択して、文字を入力することにより。
【００１６】
（３）  上記（１）又は（２）項において、被選択文字群が、表音文字である。
【００１７】
（４）  上記（１）又は（２）項において、被選択文字群が、発音記号である。
【００１８】
（５）  上記（１）又は（２）項において、被選択文字群が、表音文字の発音を表記する字画である。
【００１９】
（６）  上記（１）〜（５）項のいずれかにおいて、文字入力用択一選択キースイッチ群のキースイッチの数が１０個である。
【００２０】
（７）  上記（１）〜（６）項のいずれかにおいて、第２子音文字群が、第１の子音文字群を複数の第２の子音文字群に分ける際に、各子音の出現頻度を考慮して分けてある。
【００２１】
（８）  上記（１）から（７）項のいずれかにおいて、第２子音文字群が、第１の子音文字群を複数の第２の子音文字群に分ける際に、特定の子音同士が隣接して出現する頻度を考慮して、複数の子音文字群に分けてある。
【００２２】
（９）  上記（１）から（８）項のいずれかにおいて、第２子音文字群が、第１の子音文字群を複数の第２の子音文字群に分ける際に、重複する子音文字を含ませてある。
【００２３】
（１０）  被選択文字群を、母音に対応する母音文字群と子音に対応する第１の子音文字群に分けるとともに、第１の子音文字群を、この被選択文字群を択一選択するキースイッチの数に応じて、複数の第２の子音文字群に分け、さらに、この複数の第２の子音文字群それぞれに、前記母音文字群を組み合わせて、複数の択一選択文字群を形成し、この複数の択一選択文字群における被選択文字群を、被選択文字群の文字種の数より少ない数でなる文字入力用の択一選択キースイッチ群を介して選択入力するようにしたキースイッチ手段であって、
前記キースイッチ手段は、
前記複数の択一選択文字群のいずれかを選択した際、選択された択一選択文字群の母音文字群が、恒常的に割り付けられる第１の文字入力用のキースイッチ群と、
同じく複数の択一選択文字群のいずれかを選択した際、選択された択一選択文字群の第２の子音文字群が割り付けられる第２の文字入力用のキースイッチ群と、
前記第１または第２の文字入力用のキースイッチ群におけるいずれかのキースイッチと組み合わされて、複数の択一選択文字群のいずれかを選択する機能スイッチを備えている。
【００２４】
（１１）  被選択文字群を、母音に対応する母音文字群と子音に対応する第１の子音文字群に分けるとともに、第１の子音文字群を、この被選択文字群を択一選択するキースイッチの数に応じて、複数の第２の子音文字群に分け、さらに複数の第２の子音文字群のいずれかを選択した際、選択された子音文字群に、前記母音文字群を組み合わせて、択一選択文字群を形成し、この択一選択文字群における被選択文字群を、被選択文字群の文字種の数より少ない数でなる文字入力用の択一選択キースイッチ群を介して選択入力するようにしたキースイッチ手段であって、
前記キースイッチ手段は、
被選択文字の入力に際し、恒常的に母音文字群が割り付けられる第１の文字入力用のキースイッチ群と、
前記第２の子音文字群のいずれかを選択した際、選択された第２の子音文字群が割り付けられる第２の文字入力用のキースイッチ群と、
前記第１または第２の文字入力用のキースイッチ群におけるいずれかのキースイッチと組み合わされて、複数の第２の子音文字群のいずれかを選択する機能スイッチを備えている。
【００２５】
（１２）  前記（１０）又は（１１）項に記載のキースイッチ手段が、３列４行のマトリクス構造をなし、周辺に１０個の文字入力用キースイッチ群を、中央に２個の機能スイッチを配置し、文字入力用キースイッチ群の上半分を、第１の文字入力用のキースイッチ群、下半分を第２の文字入力用のキースイッチ群となしてある。
【００２６】
（１３）  前記（１２）項記載のキースイッチ手段が、第１及び第２の文字入力用のキースイッチ群の周辺と、機能スイッチの周辺を、囲み線をもって目視的に区分してある。
【００２７】
（１４）  前記（１０）又は（１１）項記載のキースイッチ手段が、第１の文字入力用キースイッチ群と第２の文字入力用のキースイッチ群を、上下に円をなすように円弧状に配列し、その円弧状の第１と第２の文字入力用のキースイッチ群の円内に、４個の機能スイッチを、４方向操作指示をなすキー配列をもって配置してある。
【００２８】
（１５）    ４方向操作指示をなすキー配列をもって配置した４個のキースイッチの中央に、５個目の機能スイッチを配置してなる
【００２９】
（１６）  前記（１０）又は（１１）項記載のキースイッチ手段が、第１の文字入力用キースイッチ群と第２の文字入力キースイッチ群を、１列に直列配置するとともに、機能キースイッチを、２個並びにして、第１と第２の文字入力キースイッチ群の間に直列配置してある。
【００３０】
（１７）  前記（１０）又は（１１）項記載のキースイッチ手段が、第１の文字入力用キースイッチ群と第２の文字入力キースイッチ群を、それぞれ一列に直列配置するとともに、その第１と第２の文字入力用キースイッチ群を並列に配置し、かつ２個の機能キースイッチを、前記第１と第２の文字入力用キースイッチ群の側端にそれぞれ直列配置してある。
【００３１】
（１８）  前記（１４）〜（１６）項いずれかに記載の第１と第２の文字入力用キースイッチ群が、それぞれに５個のキースイッチをもってなる。
【００３２】
（１９）  前記（１０）〜（１８）項いずれかに記載のキースイッチ手段が、第１、第２の文字入力用のキースイッチ群と機能スイッチの各キートップ模様を表示した画像表示画面と、その画像表示画面のキートップ模様を指し示すポインティング手段とにより、スイッチ機能を達成するスイッチ群でなる。
【００３３】
（２０）  前記（１９）項記載のポインティング手段が、画像表示画面の前面に設けられたタッチパネルである
【００３４】
（２１）  前記（１９）項記載のポインティング手段が、画像表示画面中を移動するカーソルポインターである
【００３５】
（２２）  前記（１９）〜（２１）項のいずれかに記載の画像表示画面が、第１と第２のいずれか１方もしくは両方の文字入力用のキースイッチ群に、択一選択可能に割り当てられた文字の画像を、択一選択スイッチ群と関連付けして表示している。
【００３６】
（２３）  前記（１９）〜（２２）項のいずれかに記載のキースイッチ手段が、複数の択一選択文字群のいずれか、もしくは複数の第２の子音文字群のいずれかを、択一選択するようにした、機能スイッチと、第１または第２の文字入力用のキースイッチ群におけるいずれかのキースイッチとの組み合わせを代行するようにした、複数の直接選択機能スイッチを備えている。
【００３７】
（２４）  前記（２３）項記載の直接選択機能スイッチが、画像表示画面にキートップ模様を表示し、このキートップ模様を、ポインティング手段により指し示すことによりスイッチ機能を達成する機能スイッチである、
【００３８】
【発明の実施の形態】
以下、本発明による方法の実施要領を説明する。
【００３９】
図１は、本発明方法の実施要領の一例を示すもので、複数個のキースイッチを所要の手順で操作することによって、所要の文字が選択される要領を示すキースイッチと文字との対応関係図である。
【００４０】
また、同１図は、ソフトウエアとして、キースイッチのキー番号、およびキースイッチ番号と機能スイッチの組み合わせを、２次元的に組み合わせて、複数のキャラクタとアドレス指定するメモリーマップでもある。
【００４１】
文字は、英語等を表記するのに使用されるアルファベッド（ローマ字）の文字群で、文字種は記号数字を除く２６文字としている。
【００４２】
図２は、本発明装置におけるキースイッチ手段（１Ａ）の一実施態様を示すもので、このキースイッチ手段（１Ａ）は、３列４行のマトリクス構造、通称テンキー配列の構造に、複数個のキースイッチ（２）を配列してある。
【００４３】
この３列４行からなるマトリクス配列のキースイッチ手段（１Ａ）は、携帯電話やパソコン、その他あらゆる電子機器端末の数字入力に利用されている汎用構造をなしている。
【００４４】
本発明において、キースイッチ手段（１Ａ）における３列４行のマトリクス構造は、従来と同様であるが、各キースイッチ（２）へのスイッチ番号の振り方や機能スイッチ（Ｓ）の位置等は、後述する本発明の実施要領に応じて割り当てを変更してある。
【００４５】
３列４行からなるマトリクス構造のキースイッチ手段（１Ａ）は、１０個の文字入力用キースイッチ群（２Ａ）と、２個の機能スイッチ（Ｓ１）（Ｓ２）からなる、１２個の各キースイッチ（２）でなり、機能スイッチ（Ｓ１）（Ｓ２）には、２列目の２行と３行とにある、各キースイッチ（２）全体の中央のものが割り当てられている。
【００４６】
機能スイッチ（Ｓ１）（Ｓ２）は、操作者に分かり易く、かつ機能区分を明瞭にするため、囲み線（３）で囲んであり、文字入力用キースイッチ群（２Ａ）の外周も囲み線（４）で囲んである。
【００４７】
また１列目と３列目の上下中央には、分離線（５）を引いて、第１の文字入力用キースイッチ群（２ａ）と第２の文字入力用キースイッチ群（２ｂ）とを、目視的に分けてある。
【００４８】
なお、以下の説明においては、第１の文字入力用キースイッチ群（２ａ）を、上方の文字入力用キースイッチ群（２ａ）として、また第２の文字入力用キースイッチ群（２ｂ）を、下方の文字入力用キースイッチ群（２ｂ）として、それぞれ組をなす位置関係で分けて説明する。
【００４９】
これにより、キースイッチ手段（１Ａ）は、中央に機能スイッチ（Ｓ１）（Ｓ２）を配設し、それの周囲に、上方と下方それぞれに５個ずつに分けて、上方の文字入力キースイッチ群（２ａ）と下方の文字入力キースイッチ群（２ｂ）が、機能スイッチ（Ｓ１）（Ｓ２）をそれぞれ中心として、模式的に半円弧をなすように配設されている。
【００５０】
上方の文字入力キースイッチ群（２ａ）には、１列２行目のキースイッチ（２ｃ）を先頭にして、時計回りに順次１番から５番までキースイッチ番号が付与されている。
【００５１】
同じく、下方の文字入力キースイッチ群（２ｂ）には、１列３行目のキースイッチ（２ｄ）を先頭にして、反時計廻りに６番から０番（１０番目を示す）までキースイッチ番号が付与されている。
【００５２】
このキースイッチ番号は、上下の文字入力キースイッチ群（２ａ）（２ｂ）がともに、左から右に昇順に並ぶ構造をなし、左から右方向に向けて文字を並べる英語の単語の文字の並びに合わせてある。
【００５３】
その結果、上下の文字入力キースイッチ群（２ａ）（２ｂ）それぞれに対応付けされた各文字は、上段の文字列、下段の文字列として、目視的にも、触覚による構造的にも分かり易く、上下の文字入力キースイッチ群（２ａ）（２ｂ）が各キースイッチ（２）に対応することになる。
【００５４】
図３は、図２に示す上記キースイッチ手段（１Ａ）の変形例を示すものである。このキースイッチ手段（１Ｂ）は、上方の文字入力キースイッチ群（２ａ）と下方の文字入力キースイッチ群（２ｂ）を、真円の円弧状に配列し、その円弧状のキースイッチ（２ａ）（２ｂ）の内側における左右中央の上下に機能スイッチ（Ｓ１）（Ｓ２）を、同じく上下中央の左右に機能スイッチ（Ｓ３）（Ｓ４）を、４方向操作指示キーと同様のキー配列をもって配置し、かつその円弧の中心部には、もう１つ機能スイッチ（Ｓ５）を配置してなる。
【００５５】
機能スイッチ（Ｓ１）（Ｓ２）は、前記マトリクス配列のキースイッチ手段（１Ａ）のものと同様に機能させ、機能スイッチ（Ｓ３）（Ｓ４）（Ｓ５）は、他の機能を割り付けて使用される。
【００５６】
例えば、後述するが、左側の機能スイッチ（Ｓ３）にはバックスペースを、右側の機能スイッチ（Ｓ４）にはスペースを、中央の機能スイッチ（Ｓ５）には確定、又は変換等の機能を割り付けて使用する。
【００５７】
また、キースイッチ手段（１Ｂ）を、文字入力モード以外のモードで使用する場合には、機能スイッチ（Ｓ１）〜（Ｓ４）を４方向操作指示キーとして機能させ、中央の機能スイッチ（Ｓ５）は、確定、エンター、次へ進む等の機能スイッチとして機能させるように使用する。
【００５８】
勿論、上下の文字入力キースイッチ群（２ａ）（２ｂ）は、そのまま数字入力モードの入力キースイッチ群として利用できるし、また、単独の機能を設定して、各種の機能スイッチとしても利用できる。このことは、図２に示すマトリクス配列のキースイッチ手段（１Ａ）においても同様である。
【００５９】
図１は、上述のキースイッチ手段（１Ａ）又は（１Ｂ）を用いて、本発明による文字入力方法の一実施要領を示すものである。
【００６０】
図１は、入力対応言語を英語とし、その英語を表す文字をアルファベッドとし、そのアルファベッドの２６文字を、その配列順にキースイッチ手段（１Ａ）又は（１Ｂ）に対応付けしたものを示してある。なお、以下の説明においては、図２に示すキースイッチ手段（１Ａ）に基づき説明する。
【００６１】
アルファベッドの２６文字は、まず母音を表すＡＥＩＯＵの５文字が母音文字群（６）として分けられ、残る各子音を表すＢ〜Ｚの２１個の文字を、第１子音文字群（７）として分けられる。
【００６２】
次に、第１子音群（７）を文字の選択に使用する文字入力キースイッチ群（２Ａ）の数（この場合１０個）から母音文字群（６）の文字の数（この場合５個）を引いた余りの数（この場合５個）に応じて、第１子音文字群（７）を複数組（この場合５組）の第２子音文字群（８）に分ける。
【００６３】
即ち、第１子音文字群（７）の数２１個を、母音文字群（６）が使用した残りの択一選択に使用しうるキースイッチ（２）の数５個で除すると、４余り１となり、実質的に５組に分けられる。
【００６４】
ここで分けられた５組の第２子音文字群（８１）〜（８５）それぞれに、前記母音文字群（６）を組み合わせて、５組の択一選択文字群（９１）〜（９５）を構成する。
【００６５】
図１において、縦列の択一選択文字群番号（１０）で示される、横向の１０行の内、上部の５行が、各択一選択文字群（９１）〜（９５）の対応文字列で、横行の文字入力用キースイッチ群（２Ａ）のスイッチ番号で示される縦列が、その１０個のスイッチ番号に対応して選択される文字である。
【００６６】
なお、各択一選択文字群（９）は、数字や記号類を含めると、択一選択文字群番号（１０）で示される各択一選択文字群より下の６行〜１０行に、数字や記号用の各択一選択文字群（９６）〜（９１０）が存在することになるが、本発明に係る文字入力に関しては、その数字や記号の配置が直接的に係わらないので、その配置は自由であり、その詳細な説明は省略する。
【００６７】
この関係は、図１をメモリーマップとしたとき、機能スイッチ（Ｓ１）を選択した後、文字入力キースイッチ群（２Ａ）のいずれかが選択されることにより、そのスイッチ番号対応の行のアドレスが指定され、その後、機能スイッチ（Ｓ１）または（Ｓ２）のいずれかが選択されるまで、文字入力キースイッチ群（２Ａ）が押される毎に、押されたスイッチ番号によるアドレスが指定されて、そこにストアされている文字データのコードを出力しうることを示している。
【００６８】
また、機能スイッチ（Ｓ２）を押すと、上段に示すノーマルモードからシフトモードに移行して、下段に示すメモリーマップが対応する。図１においては、アルファベッドの小文字を、上段のノーマルモードにおける大文字と同一位置に配置したものを示してある。なお、大文字と小文字の関係は逆にしても良い。
【００６９】
図２，図３におけるスイッチ番号１〜５の上方の文字入力キースイッチ群（２ａ）には、５個の母音文字群（６）が対応し、その母音が割り当てられる各行に係る文字の並びは、スイッチ番号の昇順に応じて、アルファベッドの出現順にＡＥＩＯＵと並べてある。
【００７０】
スイッチ番号６〜０の下方の文字入力キースイッチ群（２ｂ）には、択一選択文字群番号１〜５の行順に応じて、アルファベッド出現順に子音文字を５個区切りにして、ＢＣＤＦＧ、ＨＪＫＬＭ、ＮＰＱＲＳ、ＴＶＷＸＹ、Ｚと並べてある。
【００７１】
キースイッチ手段（１Ａ）は、機能キースイッチ（Ｓ１）を押下選択した後、文字入力用キースイッチ群（２Ａ）のいずれかを押下選択すると、選択したスイッチ番号に対応した択一選択文字群番号（１０）の行に係る択一選択文字群（９１）〜（９５）の文字列を、各文字の選択機会を均等にして、各文字入力キースイッチ（２）のいずれかの押下により、択一選択可能としている。
【００７２】
択一選択可能となっている行番号に係る択一選択文字群（９１）〜（９５）の文字列は、次に機能キースイッチ（Ｓ１）（Ｓ２）のいずれかが押下されるまで、次々と連続して複数の文字の択一選択が可能となっている。
【００７３】
機能キースイッチ（Ｓ２）を押下選択した後、キースイッチ（２）のいずれかを選択すると、図１の上段に示すキースイッチ（２）の択一選択機能を、そっくり下段に示すように移行したシフトモードになる。
【００７４】
機能キースイッチ（Ｓ１）によって選択されたノーマルモードと、機能キースイッチ（Ｓ２）によって選択されたシフトモードでは、択一選択文字番号１〜５までは上記各択一選択文字群（９）が割り当てられ、下段のシフトモードでは、それに対応する択一選択文字番号（１０）のところに、上段のノーマルモードにおけるアルファベッドの大文字に対応した、小文字が割り当てられている。
【００７５】
両機能キースイッチ（Ｓ１）（Ｓ２）と各キースイッチ（２）のキースイッチ番号６〜０の組み合わせの行については、数字や記号類が割り付けられ、その数字や記号類は、ノーマルモードとシフトモードでは、特定の関連性を持たせる必要がなく、それぞれのモードは、実質的に独立しており、そこに割り当てられるキャラクタは自由である。
【００７６】
なお、両モードで選択されるコードが単語を形成しない数字や記号類については、図１に示すメモリーマップの記号類の部分に適宜の順序で配置され、それの配置順序等については、本発明には係わらないので、その詳細は省略する。
【００７７】
ただし、スペースやバックスペース等の文字選択機能と連携するキャラクタについては、それが選択されたことを、別途にソフトウエアにより判別することにより、このスペースやバックスペース等をどこに配置してもかまわない。
【００７８】
しかし、スペースとバックスペースに対応するコードを出力するところが選択された場合、並びに、記号類が選択された場合の後は、直前のモードの第１行目の択一選択文字群（９１）を、自動的に、かつ優先的に選択するようにしてある。
なお、数字等のように、続けて同種のキャラクタが選択される機会の多いものに関しては、第１行目の択一選択文字群（９１）に優先的に移行させない。
【００７９】
また、バックスペースの出力時についても、カーソル位置を戻す操作より、操作手順を前に戻す方が、操作性を良くする場合があるので、択一選択文字群（９１）への優先的自動選択は行わない方がよい。
【００８０】
スペースや記号は、文字列を単語として連続入力している際の単語の終わりを示し、スペースは、単語の区切り記号をなしている。
【００８１】
そのため、スペースの入力（又はスペースコード出力時）の後は、常に新たな単語の入力要求機会となり、入力を要する単語は、最初の文字の選択基準を、デフォルトとして予め定めた択一選択文字群番号１の行から常に開始することになる。
【００８２】
これにより、１つの単語に係る文字列の入力手順は、スペースの入力後の先頭文字が、単語に応じて常に一定手順となるため、入力頻度の高い単語については、入力操作をしている者に対して、大いに学習効果を発揮することができる。即ち単語毎に入力手順が固定されるので、単語毎に入力順番を手が覚えてしまう。
【００８３】
図３に示すキースイッチ手段（１Ｂ）は、上記スペースやバックスペースの入力を容易とする例を示す。
【００８４】
前述の如く、図３のキースイッチ手段（１Ｂ）においては、左側の左向き矢印が付いた機能スイッチ（Ｓ３）には、矢印向きにカーソル（文字入力ポインタ）を移動させるバックスペースを、また右側の右向きに矢印の付いた機能スイッチ（Ｓ４）には、矢印向きにカーソルを移動させるスペースを、それぞれ割り付けて、操作機能イメージと４方向操作キースイッチグループとしてのイメージを対応させてある。
【００８５】
同様に、上段のノーマルモードとする機能スイッチ（Ｓ１）には、上向き矢印の付いたスイッチを、また下段のシフトモードとする機能スイッチ（Ｓ２）には、下向き矢印の付いたスイッチを、それぞれ割り付けて、４方向操作キースイッチグループとしてのイメージと、操作機能イメージを対応させてある。
【００８６】
中央の機能スイッチ（Ｓ５）は、機能の取消、もしくは先読み変換の確定、又は変換指定等のいずれかの機能を割り付けて使用される。
【００８７】
このように、図３のキースイッチ手段（１Ｂ）は、単語の区切りとなるスペースの入力を容易にすることにより、また、バックススペースの入力、即ち文字入力の手順を１つ前に戻すことを容易にすることにより、快適な文字入力を可能とする。
【００８８】
前記した機能スイッチ（Ｓ１）（Ｓ２）によるモードの切換については、大文字または小文字は、単語間に跨って、同じ字形（大文字、小文字）が使われることが多いので、直前のモードを継承するのがよく、しかも、モードの相違によって、単語の入力手順が変わることはない。
【００８９】
ただし、１つの単語の中で、先頭文字を大文字にする等の、大文字と小文字の混在した単語を入力するには、入力手順が変更されることになる。
【００９０】
このように、文字の入力に係る択一選択文字群（９１）〜（９５）の１番目に係る第２子音文字群（８１）は、２番目以降の択一選択文字群（９１）〜（９５）に含まれる各第２子音文字群（８２）〜（８５）とは、若干異なる特性を持つ文字列を構成する。
【００９１】
即ち、５組の択一選択文字群（９１）〜（９５）には、全て母音文字群（６）を含むため、母音文字群（６）との関係に関して対等である。
【００９２】
各第２子音文字群（８１）〜（８５）と母音文字群（６）との関係は、子音は母音と組合わさって拍を作り、この拍は、言語として単語が発音されたり、単語が言語のイメージとして思考されたりする際の、調子やリズムを形成し、１拍を形成する複数の文字を時間的に間をおいて分離すると、言語としての単語を形成し難くなる。
【００９３】
このことは、複数の文字が並べ（綴る）られて作られる単語を、拍の途中で分断して、発音したり（発音できない）、思考したり、文字を並べる作業をしたり、することは、不快感を催して、思考能力を減退したり、作業効率を低下させる。
【００９４】
本発明においては、各第２子音文字群（８１）〜（８５）のいずれもが、常に母音文字群（６）と結びつく機会を有することにより、拍の途中で第２子音文字群（８１）〜（８５）の組の切換を少なくすることができる。
【００９５】
択一選択文字群（９１）〜（９５）の１番目に係る第２子音文字群（８１）の特異性は、この第２子音文字群（８１）が、スペースや文字区切りコード（記号類）の出力後で、新たな単語を入力するに際してデフォルトとして自動的に選択指定しうることにある。
【００９６】
この自動選択によると、単語の最初の文字は、択一選択文字群（９１）〜（９５）の１番目に係る第２子音文字群（８１）を指定する選択手順を、常に省いていることになり、この第２子音群（８１）の各文字が、出現頻度の高い文字の集まりとすれば、単語の文字列を文章として入力するに際しての、第２子音文字群（８１）〜（８５）の切り換え操作の回数を大幅に少なくすることができる。
【００９７】
図１における第２子音群（８１）〜（８５）の文字の並びは、アルファベッドにおける出現順に並べたもので、上述の文字の出現頻度に対する考慮、並びに子音が２個以上並ぶ拍に対する考慮は、なにもしていない。
【００９８】
図４は、分野の異なる技術文献複数文書を、１つの文書に集合してサンプル文書を作り、このサンプル文書を用いて英語のアルファベッドの出現頻度を測定し、これにより測定されたアルファベッドの各文字を、出現頻度の高いものから順に並べて、５組の第２子音群（８１）〜（８５）を構成したものである。
【００９９】
母音文字群（６）の各文字は、母音の中で出現頻度の高いもの順に、ＥＩＡＯＵと並べてある。
【０１００】
第２子音文字群（８１）〜（８５）は、子音の中で出現頻度の高いもの順に並べ、かつ先頭から５個毎に分けて、ＴＮＲＳＨ、ＣＤＬＧＰ、ＦＭＶＢＹ、ＷＫＸＱＺ、Ｊとし、それらを、各択一選択文字群（９１）〜（９５）へ、出現頻度の高いものから順に割り当ててある。
【０１０１】
サンプル文書は、総単語数５３，１４９語、スペースを含まない総文字数２６８，０６６個である。
【０１０２】
図５は、母音文字群（６）と各第２子音群（８１）〜（８５）の出現頻度（％）と、それに母音文字群（６）の出現頻度を加えた、合計出現頻度（％）を示すものである。
【０１０３】
この図５によれば、出現頻度の高いものを順番に集めた、択一選択文字群番号（１０）の１番目における第２子音文字群（８１）をＴＮＲＳＨとするものの合計頻度は、７３％にも達する。
【０１０４】
しかし、文字を選択して入力する目的は、入力する文字列が単語を形成し、その単語を並べて文を形成することにある。
そこで、各第２子音文字群（８１）〜（８５）の文字配列には、単語の出現頻度も重要な要素となるとともに、前述した単語の拍の要素も重要となる。
【０１０５】
単語の出現頻度に関しては、文を構成するのに必要な単語で、文字数が少なく、出現頻度の多い単語は、各択一選択文字群（９１）〜（９５）のいずれか１つにおいて、１つの単語の全ての文字が選択できるのが好ましい。
【０１０６】
例えば、単語の出現頻度順に、ＴＨＥ，ＡＮＤ，ＦＯＲ，ＷＩＴＨ，ＴＨＡＴ，ＦＲＯＭ等、また単語の語尾に付く、ＩＮＧ，ＴＩＯＮ等も高い出現頻度を示し、これらの文字列は、各第２子音文字群（８１）〜（８５）の切り換えなしで選択できるのが好ましい。
【０１０７】
次に、拍に関しては、子音同士の結びつきの強いもの、即ち対となって単語中に出現する頻度の高いものは、１拍の中に含まれて出現し、それらは単語そのものの出現頻度とは別の理由で、対の文字列としての出現頻度が高くなっている。
【０１０８】
例えば、上記単語としての出現頻度の高いものには、ＴＨ，ＮＤ，ＦＲ等を含んでいるが、その他にも、ＣＴ，ＣＨ，ＮＴ，ＮＳ，ＰＲ，ＲＴ，ＳＴ，ＳＨ，ＴＲ，ＷＨ等が、子音同士の結びつきの強いものとして挙げられ、これらのものは、母音と組合わさって、拍として分断しない方が良い、発音や音のイメージをし易い文字列を形成していることが多い。
上記子音同士の結びつきの強いものとは、前記サンプル文書中、各子音毎に、その子音の次にどの子音が結びつくかの数を測り、その数の多いものを、出現頻度の高いものとしている。
【０１０９】
図６は、単語の出現頻度と、結びつきの強い子音同士の出現頻度を考慮して、図４とは異なる、各第２子音文字群（８１）〜（８５）を構成した実施形態を示すものである。
【０１１０】
図６において、各択一選択文字群（９１）〜（９５）における各第２子音文字群（８１）〜（８５）は、択一選択文字群番号（１０）の番号順に、ＣＨＳＴＷ、ＤＦＧＮＲ、ＢＬＭＰＹ、ＪＫＱＶＸ、Ｚ、となっている。
【０１１１】
択一選択文字群番号（１０）の１番目は、単語の出現頻度の高いものが優先的に考慮され、かつ子音同士の結びつきの強い部分を分断しないように考慮して構成してある。
【０１１２】
なお、上述の図１、図４、図６の各図に示す各択一選択文字群（９１）〜（９５）における、択一選択文字群番号の５番目の第２子音文字群（８５）は、１文字しか割り当てられていない。
【０１１３】
この５番目の第２子音文字群（８５）は、出現頻度の最も低い文字を割り当てておくことにより、他の文字との結びつきも少ないかことから、単に利用度が少ない択一選択文字群（９５）とすることができるので、そのままにしておいてもよい。
【０１１４】
しかし、第１子音文字群（７）の中には、他の文字との結びつきの少ない文字が、Ｊ以外にもいくつかある。
【０１１５】
例えば、Ｋ、Ｑ、Ｘ、Ｚ等がそれで、このＪＫＱＸＺは、それら同士が結びつくことも少ない。
【０１１６】
しかも、これらの文字ＪＫＱＸＺは、母音以外の文字との結びつきも少ないことから、他の５番目以前、すなわち１番目〜４番目の第２子音文字群（８１）〜（８４）の中に入れておいても、入力効率を高めることにはならない。
【０１１７】
図７は、上記他の文字と結びつきの少ない文字ＪＫＱＸＺを、５番目の択一選択文字群（９５）の第２子音文字群（８５）とすることにより、１番目から４番目の各第２子音文字群（８１）〜（８４）の中に、４個の空き部分を作り、その空き部分に、他の文字と結びついて入力効率を上げる文字を、重複して割り当てた例を示してある。
【０１１８】
例えば、重複して使用した文字は、図中、丸印を付したＴ、Ｒ、Ｓ、Ｌである。
【０１１９】
図８は、図５同様の、図７における各択一選択文字群（９１）〜（９５）の出現頻度を示すもので、図５よりも合計頻度は平均化されている。しかし、単語を入力するに際に、各第２子音群（８１）〜（８４）それぞれが、他の子音と結びつきの高いＴ、Ｒ、Ｓ、Ｌを、２つの第２子音文字群（８）に重複使用して、各択一選択文字群（９１）〜（９５）内での子音同士の結びつきの確率を高めてあるので、単語の入力中、各第２子音群（８１）〜（８４）の切換操作を少ないものとなっている。
【０１２０】
このようにして、英単語を入力するに際し、アルファベッドの数よりもキースイッチ（２）の数の少ないキースイッチ手段（１Ａ）（１Ｂ）を用い、各択一選択文字群（９）の選択切換を行う回数を極力少なくし、１文字１ストロークの感覚をもって、英文字文章を、軽快に入力することができる。
【０１２１】
以上の説明において、複数の第２子音文字群（８１）〜（８５）それぞれに、母音文字群（６）を対応させて、各第２子音文字群（８１）〜（８５）が母音文字群（６）を含む択一選択文字群（９１）〜（９５）を複数形成し、この複数の択一選択文字群（９１）〜（９５）を択一選択して、その選択された択一選択文字群（９）の各文字を、下段の文字入力用キースイッチ群（２ｂ）を介して択一選択して、文字を入力するとしている。
【０１２２】
しかし、本発明においては、必ずしも母音文字群（６）と第２子音文字群（８１）〜（８５）を組み合わせて、択一選択文字群（９１）〜（９５）形成することなく、母音文字群（６）を、文字入力に際して、予め上段の文字入力用キースイッチ群（２ａ）に、どの第２子音文字群（８１）〜（８５）が選択されても同じになるように、設定しておいてもよい。
【０１２３】
即ち、その複数の第２子音文字群（８１）〜（８５）それぞれを、選択的に、母音文字群（６）と対応させて、子音文字群（８）と母音文字群（６）を含む択一選択文字群（９）を形成し、この形成された択一選択文字群（９）の各文字を、文字入力用択一選択キースイッチ群を介して択一選択して、文字を入力するようにしてもよい。
【０１２４】
以上は、アルファベッドによる英語の入力に関した実施要領を説明したが、アルファベッドを用いた日本語の入力にも適用できる。
【０１２５】
図９は、日本語のかな文字を、ローマ字入力するためのアルファベッド配列を示すものである。
【０１２６】
日本語のかな文字を、アルファベッドを用いて表音文字として表現したのが、アルファベッドによるローマ字表記である。
【０１２７】
ローマ字表記のかな音表記を、日本語文字の文字キャラクタに変換するのは、ローマ字かな変換ソフトウエアであるが、これについては本発明と直接的な関係がないので、詳細な説明は省略する。
【０１２８】
かな文字は、子音と母音に分けて、アルファベッドを用いてローマ字表記される。
【０１２９】
かな文字のローマ字表記におけるアルファベッド２６文字から、母音文字群（６）である５文字を分け、残る第１子音文字群（７）である２１字を、複数の第２子音群（８）に分ける。
【０１３０】
第１子音文字群（７）は、ローマ字表記では文字として使用されないＱの文字を除外して、２０文字とし、この第１子音文字群（７）を５個ずつ４組の第２子音群（８１）〜（８４）に分け、４組の択一選択文字群（９１）〜（９４）を作る。
【０１３１】
この際に、かな文字の五十音図に基づいて、「かさたなは」行の各子音文字ＫＳＴＮＨを、択一選択文字群番号（１０）の１番目にある択一選択文字群（９１）内の第２子音文字群（８１）に割り当てる。
【０１３２】
同様に、２番番目にある択一選択文字群（９１）内の第２子音文字群（８２）には、「まやらわぱ」行の各子音文字ＭＹＲＷＰを、同３番目にある択一選択文字群（９１）内の第２子音文字群（８３）には、「がざだう゛ぶ」行の各子音文字ＧＺＤＶＢを、同４番目にある択一選択文字群（９１）内の第２子音文字群（８４）には、かな文字に対応のないＸと、「じ」行のＪと、「ちゃ」行のＣと、かな文字に対応のないＬと、「ふぁ」行のＦを割り当ててある。
【０１３３】
ただし、４番目のＸＪＣＬＦの子音の取り扱いは、ソフトウエアに依存することが多いので、それらの扱いは、ソフトウエアに委ねるものとする。
【０１３４】
次に、キースイッチ手段（１Ａ）による、かな文字の入力手順を説明すると、まず、上段のノーマルモードを選択するために、機能キースイッチ（Ｓ１）を押下選択した後、入力を望むかな文字の子音が含まれた各択一選択文字群（９１）〜（９４）のいずれかを選択するため、文字入力キースイッチ（２Ａ）のいずれから、その子音に係る択一選択文字群番号（１０）のスイッチを押下選択する。
【０１３５】
それにより、選択したスイッチ番号に対応した択一選択文字群番号（１０）の行に係る択一選択文字群（９１）〜（９５）の文字列が、文字入力キースイッチ（２）のいずれかの押下により、選ばれた択一選択文字群（９）に含まれる各文字の選択機会を均等にして、択一選択可能となる。
【０１３６】
この際、選ばれた択一選択文字群（９）による択一選択操作は、別な択一選択文字群（９）を選択するまで、次々と子音または母音が任意の順序で選択できる。
【０１３７】
この状態における、キースイッチ手段（１Ａ）の上段には、文字入力用キースイッチ群（２ａ）に母音文字群（６）が、下段の文字入力用キースイッチ群（２ｂ）には、選択した第２子音文字群（８）が、それぞれ対応付けされて、操作キーの位置が分かり易くなっている。
【０１３８】
かな文字を入力するには、入力を要するかな文字の子音を、まず先に入力し、続けて母音を入力する。即ち、下段の文字入力用キースイッチ群（２ｂ）から、まず子音を選択し、次に上段の文字入力用キースイッチ群（２ａ）から母音を選択する。
【０１３９】
この２ストローク入力に際して、どの第２子音文字群（８１）〜（８４）を選択しても、必ず５個の母音は、選択された択一選択文字群（９１）〜（９４）の中に含まれているので、速やかな２ストローク入力を可能としている。
【０１４０】
このことは、上段の文字入力用キースイッチ群（２ａ）の母音の位置は、どの択一選択文字群（９１）〜（９４）を選択しても、常に一定のキースイッチ（２）に割り当てられている。
【０１４１】
また、択一選択可能となっている、その行番号に係る択一選択文字群（９）の文字列は、次に機能キースイッチ（Ｓ１）（Ｓ２）のいずれかが押下されるまで、次々と連続して複数の文字の択一選択が可能となっている。
【０１４２】
機能キースイッチ（Ｓ２）を押下選択した後、キースイッチ（２）のいずれかを選択すると、図１の上段に示すキースイッチ（２）の択一選択機能を、そっくり下段に示すように移行したシフトモードになり、カタカナの入力を可能とする。
【０１４３】
かな文字の入力において、表音文字としての「かな」は、清音、濁音、促音、撥音、拗音、からなっている。
【０１４４】
清音は、１，２番目の第２子音文字群（８１）（８２）と母音文字群（６）により、ローマ字式入力により２ストロークで入力される。なおＰを子音とする「ぱ」行は、子音のＰと母音の結びつきが清音と同様なので、特に半濁音としないで清音として取り扱う。
【０１４５】
濁音は、３番目の第２子音群（８３）（８４）と母音文字群（６）により、ローマ字入力式により２ストロークで入力される。なお４番目の第２子音群（８４）のＪを使用することもある。
【０１４６】
促音「っ」は、パソコン等のローマ字式入力に用いられている子音部の２重打ちを採用する。
【０１４７】
撥音「ん」は、パソコン等のローマ字式入力に用いられている子音Ｎの２重打ちを採用する。なお、２重打ちとは、同じキーを続けて２回押すことを言う。
【０１４８】
ここで問題になるのは、拗音の取り扱いである。
【０１４９】
拗音は、かな文字において小さい字で表記される「ゃ」「ゅ」「ょ」及び「ぁ」「ぃ」「ぅ」「ぇ」「ぉ」を、大きな文字で表記される清音や濁音の後に付けて表記される。
【０１５０】
その前に、「あ」「い」「う」「え」「お」の母音は、母音文字群（６）において、母音文字ＡＩＵＥＯの文字の入力目的母音を、２重打ちをして入力する。
【０１５１】
即ち、「あ」はＡＡ、「い」はＩＩ、「う」はＵＵ、「え」はＥＥ、「お」はＯＯと、それぞれ２ストロークで入力する。
【０１５２】
拗音において、「ゃ」「ゅ」「ょ」が付く清音または濁音は、全て母音がＩの文字であり、「ぁ」「ぃ」「ぅ」「ぇ」「ぉ」が付くのは、母音をＩとするもの以外の文字である。
【０１５３】
このことは、一見別の事柄を表しているように見えるが、本来同一の規則性に基づいて生じたものである。
【０１５４】
即ち、拗音は、母音部が２重母音でできている音の表記文字であると考える。
例えば、「ゃ」はＩＡ、「ゅ」はＩＵ、「ょ」はＩＯと表される。
【０１５５】
具体的に示すと、「きゃ」はＫＩＡ、「きゅ」はＫＩＵ、「きょ」はＫＩＯである。他の「い」段の拗音についても同様である。
【０１５６】
「い」段以外の拗音の代表的なものは、「ふぁ」＝ＦＵＡ、「ふぃ」＝ＦＵＩ「ふぅ」＝ＦＵＵ、「ふぇ」＝ＦＵＥ、「ふぉ」＝ＦＵＯであり、全て大きなかな文字「ふ」の後に母音の小さなかな文字を付けてあり、アルファベッドによる発音表記では、母音文字が２重になっている。
【０１５７】
このように、拗音は、二重母音によって生じる音を、小さな母音の文字を付けて表記したもので、本発明においては、大きな文字部のローマ字表記に、小さな文字の母音文字１字を重ねるようにした要領で、３ストロークの入力をする。
【０１５８】
例えば、
きゃ＝ＫＩＡ、きゅ＝ＫＩＵ、きょ＝ＫＹＯ。
しゃ＝ＳＩＡ、しゅ＝ＳＹＵ、しょ＝ＳＩＯ。
ちゃ＝ＴＩＡ、ちゅ＝ＴＩＵ、ちょ＝ＴＩＯ。等
【０１５９】
なお、五十音図の各行全てにおいて、「い」段の文字について拗音がある。これらには全て「ゃ」「ゅ」「ょ」が付設されているが、その理由は、「い」段の文字の母音Ｉの後に、各母音を重ねると、ＩＡ、ＩＩ、ＩＵ、ＩＥ，ＩＯとなるが、ＩＩ、とＥＩは、聞き取り可能に分けた発音ができないので、拗音として成り立たないため、音として存在せず、そのため文字もない。
【０１６０】
ＩＡ、ＩＵ、ＩＯは、その発音が「や」「ゆ」「よ」と聞き取れるため、「ゃ」「ゅ」「ょ」の小さい文字が付設されるとともに、「や」行の文字ができたと考えられる。
【０１６１】
なお、「わ」行も同様に、母音Ｕに各母音を重ねた、ＵＡ＝「わ」，ＵＩ＝「」，ＵＵ＝「」、ＵＥ＝「」、ＵＯ＝「を」、の二重母音からできた音による文字と考えられる。
【０１６２】
上述の如く、清音、濁音、促音、撥音、拗音をなす各かな文字のローマ字式入力は、各１文字が、全て１つの択一選択文字群（９）の中で完結して入力することができるため、入力作業が楽であるとともに、覚えやすく、かつ学習効率が高くなる。
【０１６３】
上記日本語のかな文字の入力においては、キースイッチ手段（１Ａ）（１Ｂ）の各キースイッチの文字の割付がアルファベッドに対応しているが、実際にアルファベッドの文字が電子機器本体に送信されたり、表示装置に表示されたりするものではなく、キースイッチ（２）の操作は、かな文字として評価されて、データ入力される。
【０１６４】
以上は、本発明方法を、文字の種類としてローマ字のアルファベッドを用いて、言語を英語の場合と、日本語の場合で説明したが、対応言語はいずれの言語に対しても適用可能であるとともに、文字の種類はその言語に応じたもの、または、対応付けできるものを採用することができる。
【０１６５】
例えば、言語を中国語として、文字の種類を発音記号やアルファベッドとすることもでき、他の言語についても同様であり、必ずしも言語とその言語専用の文字種の組み合わせとは限らない。
【０１６６】
さらに、韓国において採用されているハングル文字にも本発明方法は適用できる。
【０１６７】
表音文字をなすハングル文字は、１０個の母音と１４個の子音を表す字画を、上下左右に組み合わせて作られているが、アルファベッドのように、母音と子音を表す個々の文字を、直接文字として表記するものではない。
【０１６８】
しかし、１０個の母音と１４個の子音を表す字画には、発音が対応しており、各字画は実質的に表音文字もしくは発音記号と同等に見なすことができ、１個のハングル文字は、複数の字画を組み合わせてできる語と見なすことができる。
【０１６９】
例えば、英語は、表音文字であるアルファベッド文字を、複数個横並びに組み合わせて１つの語（単語）を作る。
【０１７０】
ハングル文字は、表音文字もしくは発音記号をなす字画を、複数個上下左右に組み合わせて１つの語（発音と字型）を作り、この１つの語をハングル文字と称している。
そのため、１つのハングル文字の字画の要素数が一定しないため、ハングル文字の入力においては、英語入力時のスペースと同様に、文字の区切り入力を必要とする。
【０１７１】
この区切り入力は、対応するキャラクターの無い制御コードを出力し、そのコードを出力させるキースイッチは、キースイッチ手段（１Ａ）又は（１Ｂ）における機能キースイッチ（Ｓ１）（Ｓ２）のいずれかもしくは、図３に示すキースイッチ手段（１Ｂ）の機能キースイッチ（Ｓ３）（Ｓ４）（Ｓ５）のいずれかによるのが好ましい。
【０１７２】
ハングル文字における母音は１０個有る。
その内８個は、単母音と同じ母音を重ねた二重母音との組み見合わせが４組で、単母音の数は４個でなる。
残る２個は全く異なる単母音からなる１組である。
【０１７３】
そこで、図１０に示す如く、上記５組の中から、単母音のみを集めて、５個の母音文字群（６）を形成する。なお、単母音のみの組からは、語としての使用頻度、または、合成母音への使用頻度を考慮して、いずれか一方の母音文字群（６）のみに入れる。
【０１７４】
この母音文字群（６）へ組み入れられなっかった４個の二重母音と１個の単母音は、組み合わされた母音の２重打ちにより選択される（同じ母音を２度入力）。
なお、母音文字群（６）に選ばれた単母音は、１度打ちで入力する。
さらに、合成母音の入力に際しては、合成するべき母音同士を続けて入力する重ね打ちで対処する（異なる母音が２度入力）。
【０１７５】
このようにして、前記５個の上方のキースイッチ群（２ａ）には、上記５個の母音文字群（６）を対応させる。
【０１７６】
ハングル文字における子音は、１４個の字画からなり、この字画の配列順序は、日本語の五十音図に相当する反切表によって定まっている。
【０１７７】
子音は、この反切表の順序に応じて、５個ずつ順に分けて３組を作りその３組を、上から順に、択一選択文字群番号（１０）へ対応させるとともに、それの並び順に、下方のキースイッチ群（２ｂ）に順次に対応させる。
【０１７８】
ハングル文字１文字に対する母音と子音の入力順は、字画の文字構成に合わせたり、発音規則に合わせたりして、文字入力を要する操作者の理解しやすい手順に定めるのが好ましく、この母音と子音の入力順序や入力数は、ソフトウエアにより評価されて、ハングル文字を１文字又は複数候補を選択する。
【０１７９】
また、音の強弱に関しての子音部の変化は、子音を多重入力するか、もしくはソフトウエアによって、同音異語と同様に、複数候補を選択して対処することが好ましい。
【０１８０】
以上は、本発明に係る文字の入力方法を説明したが、以下にその方法による文字入力装置を、具体的に適用した電子端末機器に基づいて説明する。
【０１８１】
文字入力用キースイッチ（２）のキースイッチの数は、図２に示す３列４行のマトリクス配列による１０個、及び図３に示す円周上状に配置された１０個に限るものではなく、言語の母音の数や、文字数に応じて適宜の文字数とすればよい。
【０１８２】
母音に対応させるキーの数と子音に対応させるキーの数は、母音の数、子音の数、機能キースイッチの数、記号の数、キー配列、使用目的、適応機器の大きさ、片手操作か、両手操作か、等の各要素を検討して、適宜定めることができる。
【０１８３】
しかし、本発明の目的は、少ないキーの数で多くの文字種を選択することにあることから、キー数を多くすることは、あまり好ましくない。
【０１８４】
キースイッチ手段（１Ａ）は、図２に示すように、母音に対応する文字と子音に対応する文字を連設して語を形成する文字群、例えば、アルファベッドであれば文字種２６個の数より少ない１０個の文字入力用の各キースイッチ（２）を備えている。
【０１８５】
この、キースイッチ手段（１Ａ）における択一選択用の各キースイッチ（２）は、前記アルファベッド文字群における母音に対応する母音文字群（６）と子音に対応する第１子音文字群（７）を別々に分けるとともに、第１子音文字群（７）を、前記１０個のキースイッチ数に応じて、５組の子音文字群（８）に分けて、その５組の子音文字群（８１）〜（８５）それぞれに対して前記母音文字群（７）を共通にして組み合わせて、１０個の文字からなる択一選択文字群（９）を５組形成し、この５組の択一選択文字群（９１）〜（９５）の各文字を、択一選択しうる上方と下方の文字入力用キースイッチ群（２ａ）（２ｂ）にそれぞれ対応させて、母音と子音の各文字を、それぞれに機会均等に択一選択しうるようにしてある。
【０１８６】
さらに、各キースイッチ（２）は、２個の機能スイッチ（Ｓ１）（Ｓ２）を含み、この２個の機能スイッチ（Ｓ１）（Ｓ２）のいずれか１方または両方は、文字入力用キースイッチ群（２ａ）（２ｂ）と協動して、前記複数の択一選択文字群（９）のいずれかを、択一的に指定する択一選択文字群指定手段（１３）を構成している。
【０１８７】
英語としてのアルファベッドや、日本語のかな文字、またはハングル文字は、上記キースイッチ手段（１Ａ）（１Ｂ）における各キースイッチ（２）をもって、上述の本発明方法に基づいて文字データが入力される。
【０１８８】
図１１は、上記本発明方法を多機能ディジタル機器のコントローラ（１１Ａ）に適用した文字入力装置の実施態様の一例を示し、図はコントローラ（１１Ａ）の正面斜視図で、以下それについて説明する。
【０１８９】
コントローラ（１１Ａ）は、多機能ディジタル機器がインターネットや双方向ＴＶに接続して、通信用の文字データの入力を要求されるもので、上下の長手方向のほぼ中央部に、図２に示すキースイッチ手段（１Ａ）と、その上方に液晶表示画面（１２）を備えている。
【０１９０】
図１０においては、図６に示す択一選択文字群（９）における各第２子音文字群（８１）〜（８５）による子音の組み合わせを採用し、コントローラ（１１Ａ）が英字入力モードにある状態を示している。
【０１９１】
コントローラ（１１Ａ）には、多機能ディジタル機器を制御する多数のスイッチ（Ｗ）が設けられているが、本発明装置と係わりのないものについては説明を省略する。
【０１９２】
液晶表示画面（１２）は、多機能ディジタル機器を制御す場合にも使用されるが、以下の説明においては、本発明の文字入力装置と係わる部分のみについて説明する。
【０１９３】
液晶表示画面（１２）には、選択された文字を表示する領域（１３）と、択一選択文字群（９）や各第２子音文字群（８１）〜（８５）を、キースイッチの番号に相当する択一選択文字群番号（１０）と対応させて表示する領域（１４）を設けてある。
【０１９４】
また、択一選択文字群番号（１０）に対応した文字を表示させる領域（１４）には、キー番号６番目以降の記号類の入力に際して、各キースイッチ（２）によって選択可能な記号群の略語や設定キャラクタを表示させることにより、記号類の選択を容易する。
【０１９５】
領域（１４）の表示内容は、機能スイッチ（Ｓ１）（Ｓ２）や別の機能スイッチにより、変更したり、スクロールしたりして、キースイッチ（２）に付された択一選択文字群番号（１０）に対応させて、選択可能な状態として上下のキースイッチ（２ａ）（２ｂ）に割り付けてある文字や記号を、明示するようになっている。
【０１９６】
例えば、文字入力において、機能キースイッチ（Ｓ１）を押した後、いずれかの択一選択文字群（９１）〜（９５）の選択を要求している状態においては、領域（１４）には、１〜５までのキースイッチ番号と、そのキースイッチを押すと選択される、択一選択文字群（９１）〜（９５）に含まれる各第２子音文字群（８１）〜（８５）を、対応付けして明示することができる。
【０１９７】
キースイッチ手段（１Ａ）に係る表示機能の制御は、本来はキースイッチ手段（１Ａ）側に別途機能キースイッチを設けて担当するべきであるが、制御メニューや、メニュー選択、表示文字のスクロール等の操作は、コントローラ（１１Ａ）の上部にある４方向指示キー（１５）、及びスイッチ（Ｗ）によることもある。
【０１９８】
キースイッチ手段（１Ａ）は、前述したように、３列４行のマトリクス配列をなすものであるが、図２で説明したように、中央に機能キースイッチ（Ｓ１）（Ｓ２）が配置され、その周囲は囲み線（３）で囲んである。
【０１９９】
各キースイッチ（２）の周囲も囲み線（４）で囲まれ、１列と３列の中央には分離線（５）で、上下を分離してある。
【０２００】
上方の機能キースイッチ（Ｓ１）の周囲を取り巻くように配置され、かつ時計回りに昇順に、択一選択文字群番号（１０）及びキースイッチ番号に相当する１〜５の番号が付設された、上方のキースイッチ（２ａ）には、文字を選択する機会全てにおいて、対応文字を変えることなく、母音文字群（６）が割り当てられている。ただし、記号部の選択時を除く。
【０２０１】
下方の機能キースイッチ（Ｓ２）の周囲を取り巻くように配置され、かつ反時計廻りに昇順に、択一選択文字群番号（１０）及びキースイッチ番号に相当する６〜０の番号が付設された、下方のキースイッチ（２ｂ）には、機能キースイッチ（Ｓ１）を選択後に選ばれた、択一選択文字群番号（１０）に係る文字入力キースイッチ（２Ａ）のいずれかによって、選択され、かつ変更される第２子音文字群（８１）〜（８５）が割り当てられている。
【０２０２】
かくして、各子音文字群（８１）〜（８５）は、機能キースイッチ（Ｓ１）（Ｓ２）と文字入力キースイッチ群（２）の組み合わせ操作によって、選択しうる状態が指定されるようになっている。
実際には、機能キースイッチ（Ｓ１）（Ｓ２）は、記号群の選択にも使用されるので、１０個の文字入力キースイッチ群（２Ａ）のいずれとも組み合わされる。
【０２０３】
その際に、選択を要する子音文字がいずれの択一選択文字群番号（１０）のところにあるかは、前述の如く、液晶表示画面（１２）の領域（１４）に表示されるようになており、各子音文字がどのキー番号に対応しているかは、表示された文字列の順序から分かるようになっている。
【０２０４】
即ち、これから入力用のキースイッチ（２）のいずれかを選択すれば、所望する文字や記号が得られるかを知るため、キースイッチ（２）のいずれかを押すと何が選択されるかを、キースイッチ（２）の押下後において、択一選択文字群（９）のような文字群や記号群であれば、それの略語や代表文字を、また、第２子音文字群（８）のような、文字であれば文字を、さらに記号であれば記号を、領域（１４）に表示する。
【０２０５】
この表示機能により、子音のキー配列を全て覚えなければ入力操作ができないという恐れはなくなる。
【０２０６】
本発明に係るキースイッチ手段（１Ａ）は、従来の３列４行のキーマトリクスをなすテンキーボードに対して、１〜５，６〜０の数字の配置と、＊＃の記号に相当する機能キースイッチ（Ｓ１）（Ｓ２）のキー配列を異えるだけで、全く同一に、１０者択一の選択スイッチとして作用し、従来のテンキー配列と互換性がある。
【０２０７】
卓上計算機等の数値計算用のテンキーは、高速入力を要するために、従来から定められた数字のキー割り付けは、変更できない。
しかし、多機能端末をディジタルテレビとして、それの操作用コントローラとして上述のコントローラ（１１Ａ）を、使用しても、チャンネル番号の入力や数値や電話番号の入力等に使用されるキー配列としては、何ら支障を生じる恐れはない。
【０２０８】
図１２は、図３に示すキースイッチ手段（１Ｂ）を、多機能端末のコントローラに、本発明を適用した別のコントローラ（１１Ｂ）の実施態様を示すものである。
【０２０９】
キースイッチ手段（１Ｂ）は、４方向指示操作部（１６）となすことのできる機能キースイッチ群（Ｓ１）〜（Ｓ４）を備えていることから、図１２のコントローラ（１１Ｂ）は、図１１の４方向指示キー（１５）の部分を、文字入力時以外のコントローラ操作時に、キースイッチ手段（１Ｂ）の機能キースイッチ（Ｓ１）〜（Ｓ４）で代用できる。
【０２１０】
なお、同一符号を付したものは、先に説明したものと同一機能を示すもので、詳細な説明は省略する。
【０２１１】
図１３は、本発明を多機能端末のコントローラに適用した別のコントローラ（１１Ｃ）の実施態様を示すものである。
【０２１２】
コントローラ（１１Ｃ）における液晶表示画面（１２ａ）は、タッチパネル構造をなしており、そのタッチパネル（１６）と、その裏面の液晶部に表示された３列４行のマトリクス配列のキートップ模様（１７）をもって、キースイッチ手段（１Ａ）を模擬したキースイッチ手段（１Ｃ）をなしている。なお、キートップ模様（１７）を、図３と同様の、１０個のキートップを円型に配列した、キースイッチ手段（１Ｂ）を模擬したものとすることもできる（図示略）。
【０２１３】
この液晶表示画面（１２ａ）にキートップ模様（１７）を表示する場合は、キースイッチ手段（１Ａ）のキートップ模様（１７）の部分に、現在選択可能な択一選択文字群（９）の各文字（キャラクタ）（１８）又は記号を、液晶の表示機能を利用して、キートップ模様（１７）の対応キートップに表示して、次に入力する文字（１８）又は記号類の択一選択の指標として、選択容易性を高めることができる。
【０２１４】
図１４は、前記図１３に示すコントローラ（１１Ｃ）の変形例を示すもので、このコントローラ（１１Ｄ）は、タッチパネル（１６）とキートップ模様（１７）で形成されるキースイッチ手段（１Ｃ）と、そのキースイッチ手段（１Ｃ）の近傍に設けた文字入力に係る択一選択文字群（９）を短縮選択する５個の直接選択機能スイッチ（１９）を備えている。
【０２１５】
各択一選択文字群（９１）〜（９５）における第２子音文字群（８１）〜（８５）を選択するには、通常は機能スイッチ（Ｓ１）と上段の文字入力用キースイッチ群（２ａ）を組み合わせて２ストロークで選択しなければならないところを、文字入力に際して第２子音文字群（８１）〜（８５）の選択専用に設けた１〜５番号を付した５個の短縮キースイッチ（２０）により、第２子音文字群（８１）〜（８５）を１ストロークで切換うるようにする。
【０２１６】
５個の直接選択機能スイッチ（１９）と第２子音文字群（８１）〜（８５）の対応関係は、液晶表示画面（１２ａ）の領域（１４）に表示しておくことにより、入力が速くなるとともに、初心者でも容易に入力ができる。
【０２１７】
図１５及び図１６は、本発明方法並びに装置を、携帯電話機に適応した実施形態を示すものである。
【０２１８】
図１５に示す携帯電話機（２０Ａ）は、３列４行のキーマトリクスをなす電話番号入力用のキースイッチ部に、図２に示す上述の本発明に係るキースイッチ手段（１Ａ）を適用した例である。
【０２１９】
図１６に示す携帯電話機（２０Ｂ）は、３列４行のキーマトリクスをなす電話番号入力用のキースイッチ部に、図３に示す上述の本発明に係るキースイッチ手段（１Ｂ）を適用した例である。
【０２２０】
両携帯電話機（２０Ａ）（２０Ｂ）共に、電話機として電話番号を入力するダイヤル入力部には、１０個の文字入力用キースイッチ群（２Ａ）が対応し、＊＃の記号は、２個の機能キースイッチ（Ｓ１）（Ｓ２）が対応して、電話機としての機能には支障を生じない。
【０２２１】
文字入力に際しては、文字入力モードとなして、上述のような要領をもって、上段の文字入力用キースイッチ群（２ａ）、下段の文字入力用キースイッチ群（２ｂ）、及び機能キースイッチ（Ｓ１）（Ｓ２）の操作順序を判別して、文字入力を行う。
【０２２２】
入力する文字は、英語のアルファベッド、日本語のかな、韓国語のハングル、及び特定の言語に特定されない発音記号、または発音記号を代用するアルファベッド等を、図１，４，６，７，９，１０，のメモリマップに示すように、各キースイッチ（２）の操作順序に基づいて、ソフトウエア的に判別して入力する。
【０２２３】
このように、本発明によれば、携帯電話機（２０Ａ）（２０Ｂ）のダイヤル入力部に対応するキースイッチ手段（１Ａ）（１Ｂ）の形態を変更することなく、各国語の言語に対応した文字入力を可能とする。
【０２２４】
図１６に示す携帯電話機（２０Ｂ）は、４個の機能キースイッチ（Ｓ１）（Ｓ２）（Ｓ３）（Ｓ４）が、４方向操作キースイッチを兼用できるので、携帯電話機能を持つ携帯端末（通称ＰＤＡと略称されている）としての利用も可能になる。
【０２２５】
図１７は、本発明をコンピュータ用入力端末（２１）に適用した一実施形態を示すものである。
【０２２６】
コンピュータ用入力端末（２２）は、フルキーボードと互換性を保ち、かつ多機能の入力用端末としても利用できる。
【０２２７】
入力端末（２１）は、下端部（２２）を片手で把持しうる太さで横断面６角形をなした柱状体でなり、周回り６面をなす各平面における正面平面部（２３）には、上方に液晶表示部（２４）、下方に複数キースイッチからなるのキースイッチ群（２５）、その中央に本発明に係るキースイッチ手段（１Ｂ）を備えている。
【０２２８】
正面以外の他の５個の側面部（２６）にも、それぞれの側面に１個または複数のキースイッチ（２７）が設けられ、それらのキースイッチ（２７）には、フルキーボードにおける文字入力用キー以外の機能キーが適当に割り付けられている。
【０２２９】
さらに、５個の各側面部（２６）において上方に設けた各キースイッチ（２７ａ）には、モード切替機能が割り付けられて、正面のキースイッチ群（２７）のキー割付を変更できるようになっている。
【０２３０】
モード切替機能は、例えば、キースイッチ手段（１Ｂ）を文字入力モードにしたり、その文字入力モードの入力言語を、英語と日本語を切り換えたりする。
【０２３１】
また、モード切り替え機能は、正面下方の複数のキースイッチ群（２７）を、キーボードにおけるファンクションキーに対応させたり、アプリケーションソフトに応じたショートカットキーに対応させたりすることもできる。
【０２３２】
この入力端末（２１）は、通常左手で操作し、右手ではマウス等のポインティングデバイスを操作する。
【０２３３】
液晶表示部（２４）には、文字入力用のキースイッチ手段（１Ｂ）の文字入力を補佐し、次の選択可能文字等を案内する表示領域（１４）を備え、選択した文字をコンピュータに送る前に表示しておく表示領域（１３）も備えている。
【０２３４】
また、液晶表示部（２４）は、各モードにおいて、正面下方のキースイッチ群（２６）に割り当てられた機能を表示することもできる。
【０２３５】
このように、本発明によれば、文字入力を少ないキーの数で行えることから、フルキーボードと互換性のあるコンパクトで片手操作の容易な入力端末を提供できる。
【０２３６】
図１８は、図２，図３とは別なキースイッチ手段の実施態様を示すものである。
【０２３７】
図１８における（ａ）は、第１の文字入力用キースイッチ群（２ａ）と第２の文字入力キースイッチ群（２ｂ）における各キースイッチ（２）を、それぞれ一列に並べて直列に配置するとともに、機能キースイッチ（Ｓ１）（Ｓ２）を、２個並びに配置して、両キースイッチ群（２ａ）（２ｂ）の間に直列に配置したキースイッチ手段（１Ｃ）の例を示す。
【０２３８】
図１８における（ｂ）は、第１の文字入力用キースイッチ群（２ａ）と第２の文字入力キースイッチ群（２ｂ）における各キースイッチ（２）を、それぞれ一列に並べて直列に配置するとともに、その両キースイッチ群（２ａ）（２ｂ）を上下に重ねて並列に配置し、かつ２個の機能キースイッチ（Ｓ１）（Ｓ２）を、それぞれ両キースイッチ群（２ａ）（２ｂ）の側端に直列配置したキースイッチ手段（１Ｄ）の例を示す。
【０２３９】
キースイッチ手段（１Ｃ）（１Ｄ）共に、入力端末の構造が横長のものに適する各キースイッチ（２）の配置をなしている。
【０２４０】
図１９は、ＰＤＡと称される携帯端末（２８）に、図１８における（ａ）のキースイッチ手段（１Ｃ）と同様のキートップ配列模様（２９）を、液晶表示画面（３０）に表示させるとともに、タッチパネル構造により、各キースイッチ（２）に相当するキートップ模様（２９）を、キースイッチとして働かせる例である。
【０２４１】
この例の場合、図１３、図１４を全く同様に機能するが、キースイッチ（２）として機能させる液晶表示画面（３０）の表示領域（３１）の面積を小さくすることができるとともに、文字入力時のポインティング手段をなすペン（３２）の移動範囲を少なくして操作性を高めることができる。
【０２４２】
各キースイッチ（２）に相当するキートップ模様（２９）には、現在選択されている択一選択文字群（９）の各文字又はキャラクタが、対応キートップ模様（２９）のところに、液晶表示画面（３１）のキャラクタ表示機能をもって、表示されている。
【０２４３】
これにより、文字のみではなく、数字、記号類の入力も容易に入力できる。
ポインティング手段は、ペン（３２）に限るものではなく、画像表示画面中を移動するカーソルポインター（３３）であてもよい。なお、カーソルポインタは、図１４における直接選択機能スイッチ（１９）のポインティング手段としても利用できる。
【０２４４】
以上説明してきた、キースイッチ手段（１）におけるキースイッチ（２）の数や配置は、上述の実施態様に限るものではなない。
【０２４５】
【発明の効果】
本発明は、以下のような効果を奏することができる。
【０２４６】
請求項１記載の発明によれば、選択的にキー割り付けが切り替わる複数の第２子音文字群に対して、母音文字群はキー割り付けが恒常的に定まるので覚えやすい。
母音文字群は、キー割り付けを恒常的に定められて、全ての子音文字入力機会において、母音が引き続き入力可能になっていることから、子音に後続して現れる母音の入力には、キースイッチの切換操作を必要とすることなく、子音に続く母音の入力は、連続的にシングルストロークと同様の打鍵を可能とする。
文字入力に際し、母音文字群は、全ての文字入力機会において、キー割付の変更がなく、複数の第２子音文字群が、切り換えられるのみであるから、第２子音文字群の文字の組み合わせと、キースイッチとの対応関係を覚れば、ブラインドタッチの入力も可能となる。
また、複数の第２子音文字群に対して、それぞれに母音文字群を組み合わせて複数の択一選択文字群を構成するので、複数の択一選択文字群は、それぞれが均等に取り扱いができ、文字選択制御に係るプログラミングを容易にするとともに、文字選択以外の数字、記号等とも均等に取り扱うことができる。
【０２４７】
請求項２記載の発明によれば、選択的にキー割り付けが切り替わる複数の第２子音文字群に対して、母音文字群はキー割り付けが恒常的に定まるので覚えやすい。
母音文字群は、キー割り付けを恒常的に定められて、全ての子音文字入力機会において、母音が引き続き入力可能になっていることから、子音に後続して現れる母音の入力には、キースイッチの切換操作を必要とすることなく、子音に続く母音の入力は、連続的にシングルストロークと同様の打鍵を可能とする。
文字入力に際し、母音文字群は、全ての文字入力機会において、キー割付の変更がなく、複数の第２子音文字群が、切り換えられるのみであるから、第２子音文字群の文字の組み合わせと、キースイッチとの対応関係を覚れば、ブラインドタッチの入力も可能となる。
また、母音文字群に対して、複数の第２子音文字群のいずれかが選択に組み合わされて択一選択文字群を構成するので、母音文字群は、恒常的に所定のキースイッチに固定し、複数の第２の子音文字群側のみを切換えることにより、被選択文字群の冗長性を減少し、文字選択制御に係るプログラミングを容易するとともに、メモリー領域の負担を減少する。
【０２４８】
請求項３記載の発明によれば、入力しようとする文字の選別要素（被選択文字群）は、言語そもものの文字パターンと入力しようとする文字の発音イメージとを、合致させてあるので、アルファベッドなどによる表音文字の単語入力に適している。
【０２４９】
請求項４記載の発明によれば、入力しようとする文字の選別要素（被選択文字群）は、言語そのものの文字パターンと入力しようとする文字のイメージとが、合致していなくともよいので、日本語のかな、中国語の漢字、ハングル文字、アラビヤ文字など、字数の多い、多様な言語に対応させることができる。
【０２５０】
請求項５記載の発明によれば、入力しようとする文字の選別要素（被選択文字群）を、表音文字を構成する表音部の字画に対応させるので、入力しようとする文字のイメージと、選択される文字のパターン（語）が合致して、ハングル文字等の入力を容易にする。
【０２５１】
請求項６記載の発明によれば、文字入力用択一選択キースイッチ群のキースイッチの数を１０個とすれば、母音を５個とする言語においては、第２子音文字群を構成する子音の数が５個となり、互いに同数の母音部と子音部を構成しうるようになることから、１０個のキースイッチに割り当てられる母音部と子音部の対称性が高くなり、割り当てられた文字とキーの位置関係を覚えや易くなるとともに、母音部と子音部がそれぞれに５個と言うキースイッチ数で構成されることにより、母音部と子音部を別々に分けて、位置のイメージとして記憶したり、手の触覚イメージや、指の動作イメージとして記憶され、特に５の数は、１と５が右端と左端の両端として、３が真ん中、２が右の中、４が左の中として、位置や触覚及び動作イメージとして、頭で記憶したり、手の動作で記憶したりできる。
また、１０の数は、１０進法と合致するので、キースイッチ番号を数字入力の数字と対応させることが容易である。
さらに、１０個の択一選択キースイッチ群に、２個の機能スイッチを加えると、３列４行のマトリクス構造となり、これまで利用している電話のダイヤルスイッチや、数字入力用のテンキーを、そのままの構造で文字入力用のキースイッチ手段として利用できる。
【０２５２】
請求項７記載の発明によれば、第１の子音文字群を複数の第２の子音文字群に分ける際に、１組となる子音文字同士の組み合わせを、出現頻度の高いもの同士を組み合わせるか、もしくは出現頻度の低いもの同士を組み合わせるるかして、１語を入力するに際しての、弟２の子音群相互の切換回数を少なくすることができる。
【０２５３】
請求項８記載の発明によれば、第１の子音文字群を、複数の第２の子音文字群に分ける際に、特定の子音同士が隣接して出現する頻度を考慮して、第１子音文字群を、複数の第２の子音文字群に分けることにより、先に選択された子音に引き続いて後にくる子音の入力の際に、第２の子音文字群を切り換える頻度を少なくして、１語の文字綴りを、連続的に入力する可能性を高めることができる。
【０２５４】
請求項９記載の発明によれば、特定の子音同士が隣接して出現する頻度の高い子音同士の組み合わせが多数有る場合、重複する子音文字を含ませることにより、別の組においても、第２の子音文字群の隣接頻度の高い子音同士の組み合を可能とする。
【０２５５】
請求項１０および１１項に記載の発明によれば、母音文字群が恒常的に割り付けられる複数のキースイッチ群と、複数の第２子音文字群のいずれかが選択的に割り付けられるキースイッチ群は、割り付け態様から、明確に機能分離して、別々のグループに分けることができ、この別々に分けられた２組のキースイッチ群は、母音用と子音用として認識され、母音用のキースイッチ群には、常に母音文字が恒常的に割り付けられて、いつでも母音の入力機会を形成して、高い出現頻度を持つ母音打鍵に常時対応し、母音の打鍵の習熟度を容易に高めることが出きる。
また、母音文字群は、キー割り付けが恒常的に定まており、全ての文字入力機会において、母音が入力可能になっていることから、子音に後続して現れる母音の入力には、キースイッチの切換操作を必要とすることなく、子音に続く母音の入力は、連続的にシングルストロークと同様の打鍵を可能とし、しかも、母音は、子音の後に出現する頻度が高いので、連続打鍵の頻度を高めている。
子音の打鍵についても、第１子音群をなす各子音を、複数に分けて少数の子音からなる第２子音群となすことにより、入力機会を与えられている子音が対応するキースイッチの数が少ないので、同時に入力機会が与えられる子音同士の組み合わせを、容易に覚えることができる。
【０２５６】
請求項１２記載の発明によれば、３列４行のマトリクス構造をなしたキースイッチ群は、既存するテンキースイッチ、携帯電話のダイヤルスイッチ、その他、コンピュータの周辺機器として多く利用されており、既存の装置やシステムの仕様を変更することなく、本発明を適用できる。
１０個の文字入力用キースイッチを備えることから、母音を５個とする言語においては、第２子音文字群を構成する子音の数が５個となり、互いに同数の母音部と子音部を構成しうることから、１０個のキースイッチに割り当てられる母音部と子音部の対称性が高くなり、割り当てられた文字とキーの位置関係を覚え易くなるとともに、母音部と子音部がそれぞれに５個と言うキースイッチ数で構成されることにより、母音部と子音部を別々に分けて、位置のイメージとして記憶したり、手の触覚イメージや、指の動作イメージとして記憶され、特に５の数は、１と５が右端と左端の両端として、３が真ん中、２が右の中、４が左の中として、位置や触覚及び動作イメージとして、頭で記憶したり、手の動作で記憶したりできる。
また、１０の数は、１０進法と合致するので、キースイッチ番号を数字入力の数字と対応させることが容易である。
【０２５７】
請求項１３記載の発明によれば、母音用のキースイッチ群と子音用のキースイッチ群、および機能スイッチを、囲み線で明瞭に区分してあるので、初心者には、キースイッチの機能と位置関係が分かり易く、操作性を高める。
【０２５８】
請求項１４及び１５に記載の発明によれば、第１と第２の文字入力用のキースイッチ群を、上下に分けて円形に配列することにより、中央部に円形の空間を形成して、４個の機能スイッチを、４方向操作指示をなすキー配列をもって配置することができるとともに、この４方向操作指示をなすキースイッチの中央部に、さらに多目的に使用しうる、５番目の機能スイッチを設けることを可能として、この４方向操作指示をなす４個の機能キースイッチ群と、その中央の１つの機能スイッチと、その周囲に円型をなして配置されたキースイッチ群により、文字入力に使用するとき以外は、多目的に使用しうるキースイッチ群を形成し、文字入力を要するコンピュータ周辺機器や、デジタルテレビのコントローラ、携帯電話機、ゲーム機、その他家電製品に対する文字入力を兼ねた多目的操作スイッチとして利用することができる。
【０２５９】
請求項１６記載の発明によれば、第１と第２の文字入力キースイッチ群と機能スイッチを、横１列（１行）または縦１列に配置して、文字入力装置を使用する周辺機器のレイアウト状況に適用させる。特に横一列（１行）に配列するものは、液晶表示手段とタッチパネル手段を備えたインターフェイスにおいて、液晶表示手段の最下行に１行をもって、文字入力のキースイッチ手段を形成できるので、文字入力のために、液晶表示手段の有効表示面積（アプリケーション等が表示に使用する表示面積）を圧迫することがない。
キースイッチのキートップ部分を大きくして、横１列に構成すると、握り拳で叩くようにしたり、足で踏むようにしたりして、文字入力が行えるようにした、マンマシンインターフェイスを提供できる。
横１列に構成すると、母音文字群は、左手（左手）または左足（右足）で、子音文字群は、右手（左手）または右足（左足）で操作しうるようになり、母音または子音によって、使用する左右の手指、手、または足が異なるので、文字入力操作が覚え易く、かつ身体の運動反応として習熟し易い。
他のキースイッチ手段におけるキースイッチの配列に対しても、例えば、キースイッチ群を、３列４行のマトリクス構造としたもの、および、文字入力用のキースイッチ群を、上下に円をなすように円弧状に配列したもののいずれに対しても、若干キーの位置が異なるだけで、母音用のキースイッチ群、子音用のキースイッチ群、機能キースイッチ群としては、同一概念で構成されているので、前記いずれかのキースイッチ手段を習熟すれば、横１列または縦１列のキースイッチ手段の操作は容易である。
【０２６０】
請求項１７記載の発明によれば、母音入力用の第１のキースイッチ群、子音入力用の第２のキースイッチ群、及び２個の機能スイッチは、横２列（２行）もしくは縦２列に配置されるので、文字入力用のキースイッチ手段がコンパクトに構成され、液晶表示器を利用してのキースイッチ手段としても、表示面積を少なくして使用できる。
また、母音入力用のキースイッチ群と子音入力用のキースイッチ群は、上下または左右に明確に分けられるので、文字入力操作が覚え易く、かつ手指や身体の運動反応として習熟し易い。
他のキースイッチ手段におけるキースイッチの配列に対しても、例えば、キースイッチ群を、３列４行のマトリクス構造としたもの、および、文字入力用のキースイッチ群を、上下に円をなすように円弧状に配列したもの、横または縦１列に配置したもののいずれに対しても、若干キーの位置が異なるだけで、母音用のキースイッチ群、子音用のキースイッチ群、機能キースイッチ群としては、同一概念で構成されているので、前記いずれかのキースイッチ手段を習熟すれば、横２列または縦２列のキースイッチ手段の操作は容易である。
【０２６１】
請求項１８記載の発明によれば、第１と第２の文字入力用キースイッチ群を、それぞれに５個のキースイッチとなせば、母音を５個とする言語においては、第２子音文字群を構成する子音の数が５個となり、互いに同数の母音部と子音部を構成しうるようになることから、１０個のキースイッチに割り当てられる母音部と子音部の対称性が高くなり、割り当てられた文字とキーの位置関係を覚えや易くなるとともに、母音部と子音部と互いに５個にすると、位置のイメージとして記憶したり、手の触覚イメージや、指の動作イメージとして記憶され、特に５の数は、１と５が右端と左端の両端として、３が真ん中、２が右の中、４が左の中として、位置や触覚及び動作イメージとして、頭で記憶したり、手の動作で記憶したりできる。
また、５個で２組からなる１０の数は、１０進法と合致するので、キースイッチ番号を数字入力の数字と対応させることが容易である。
さらに、１０個の択一選択キースイッチ群に、２個の機能スイッチを加えると、３列４行のマトリクス構造となり、これまで利用している電話のダイヤルスイッチや、数字入力用のテンキーを、そのままの構造で文字入力用のキースイッチ手段として利用できる。
【０２６２】
請求項１９記載の発明によれば、第１、第２の文字入力用のキースイッチ群と機能スイッチを、各キートップ模様を表示した画像表示画面と、その画像表示画面のキートップ模様を指し示すポインティング手段とにより、スイッチ機能を達成する択一選択スイッチ群とすることにより、キースイッチ手段におけるキースイッチ群を、３列４行のマトリクス構造としたもの、文字入力用のキースイッチ群を、上下に円をなすように円弧状に配列したもの、横または縦１列に配置したもの、横または縦２列にしたもののいずれに対しても、キートップ模様を表示した画像表示画面を変更するのみで、容易に対応でき、文字入力装置を操作する者が、習熟したキートップ模様を選択的に使用することも容易にできる。
画像表示画面を備えたディジタル装置、及び周辺装置においては、ハードウエアとしてのキースイッチ手段を備える必要がなく、ソフトウエアによってキースイッチ手段を構成できるので、技術開発が容易であると共に、一度開発した技術資産を、各種の使用目的の異なるディジタル装置に、文字入力装置としては共通利用することを可能とする。例えば、ディジタルテレビ、携帯電話、携帯端末（ＰＤＡ）、電子辞書等の、画像表示画面を備えた機器に対して、文字入力装置を提供することが出きる。
【０２６３】
請求項２０記載の発明によれば、ポインティング手段を、画像表示画面の前面に設けられたタッチパネルとすることにより、携帯端末（ＰＤＡ）や電子辞書において、ペンタイプの文字入力装置が提供されて、文字入力の操作性を高めることができる。
また、文字入力に際して、ペンタッチする個所が、例えば１２個所程度と少なく、操作に際してのペンの移動距離も少ないので、操作性を高めることができる。
【０２６４】
請求項２１記載の発明によれば、ポインティング手段が、画像表示画面中を移動するカーソルポインターとすることにより、ディジタルテレビ、携帯電話、携帯端末（ＰＤＡ）、電子辞書等の、画像表示画面を備えた機器において、マウスやトラックボールなどのポインティング装置を利用して文字入力が出きる。
文字入力に際して、カーソルポインターがポインティングする個所は、例えば１２個所程度と少なく、かつ目標となるキートップ模様も、比較的大きくすることが出きるので、カーソルポインターをポインティングする個所に合わせ易く、しかも、操作に際してのカーソルポインターの移動距離も少ないので、操作性を高めることができる。
【０２６５】
請求項２２記載の発明によれば、現在選択可能となっている文字が、キートップ模様の上に直接表示されるので、初心者でも容易に文字入力ができる。
【０２６６】
請求項２３記載の発明によれば、複数の択一選択文字群、もしくは複数の択一第２の子音文字群を択一選択する機能スイッチと、第１または第２の文字入力用のキースイッチ群との組み合せを代替えして、１回の操作で複数の第２子音文字群のいずれかを選択する、いわゆるショートカットキーに相当する複数の直接選択機能キーを、別に設けて、子音文字群の切換操作を簡便化し、文字入力の操作性を高めることができる。
直接選択機能キーはシングルタッチにより子音文字群の切換ができるので、操作性が高まる。
上記直選択機能キーを足で操作するようにすると、両手で第１と第２の文字入力キースイッチ群を操作し、複数の第２子音群の択一選択を足で操作することができ、高速度の文字入力が可能となる。
【０２６７】
請求項２４記載の発明によれば、表示画面において、子音文字群の切換専用のスイッチを、追加機能として設けることは、価格の増加を伴わずに、ソフトウエア的に容易にできるので、安価に使い勝手の向上を図る。
【図面の簡単な説明】
【図１】本発明による文字入力方法の一実施要領を示すもので、入力対応言語を英語とし、被選択文字群を英語におけるアルファベッドとした場合における、アルファベッドの２６文字を、アルファベッドの文字配列順にキースイッチ手段に対応付けした対応関係図の一例を示し、この文字とキースイッチの対応関係図は、ハードウエアとしてのキースイッチ手段におけるキースイッチのキー番号、およびキースイッチ番号と機能スイッチの組み合わせの２次元的関係、及び母音文字群と、第２子音文字群それぞれの文字の組み合わせ関係の一実施形態を示している。
【図２】本発明方法を具体的に実施するためのキースイッチ手段の一実施形態を示す正面図である。
【図３】図２に示すキースイッチ手段の変形例を示す、他のキースイッチ手段の実施形態を示す正面図である。
【図４】被選択文字群をアルファベッドとし、英語を文字入力する場合における、図１と同様のキースイッチ手段と文字との対応表で、母音文字群と第１子音文字群を、英文のサンプル文書における出現頻度順に並べて、各第２子音文字群それぞれの文字の組み合わせ関係を定めた、本発明方法の別な実施形態における文字とキースイッチの対応関係図を示す。
【図５】図４における母音文字群の出現頻度と、各第２子音文字群それぞれの出現頻度、並びに、母音文字群と各第２子音文字群の出現頻度を合計した、各択一選択文字群としての合計頻度を示す、文字群と出現頻度の対応関係図である。
【図６】被選択文字群をアルファベッドとし、英語を文字入力する場合における、図１と同様のキースイッチ手段と文字との対応関係図で、母音文字群と第１子音文字群を、対をなして出現する結びつきの高い子音同士の出現頻度を考慮して、各第２子音文字群それぞれの文字の組み合わせ関係を定めた、さらに別の実施形態における文字とキースイッチの対応関係図を示す。
【図７】被選択文字群をアルファベッドとし、英語を文字入力する場合における、図１と同様のキースイッチ手段と文字との対応関係図で、図６に示す第２子音群の文字の組み合わせ関係を基にし、かつ他の文字との結びつきの少ない文字を第５子音群に集め、第１から第４子音群にそれぞれ１ヶ所ずつ計４ヶ所の空きヶ所を作り、そのヶ所に他の文字と結びついて入力効率を上げる文字を、重複使用した、別の実施形態における文字とキースイッチの対応関係図を示す。
【図８】図７における母音文字群の出現頻度と、各第２子音文字群それぞれの出現頻度、並びに、母音文字群と各第２子音文字群の出現頻度を合計した、各択一選択文字群としての合計頻度を示す、文字群と出現頻度の対応関係図である。
【図９】被選択文字群をアルファベッドとし、日本語のかな文字をローマ字入力するための、図１と同様の文字とキースイッチ手段の対応関係を示す、別の実施形態における文字とキースイッチの対応関係図を示す。
【図１０】被選択文字群をハングル文字における発音に対応した字画とし、韓国語のハングル文字を入力するための、図１と同様のキースイッチ手段と文字との対応関係を示す、別の実施形態における文字とキースイッチの対応関係図を示す。
【図１１】図２に示すキースイッチ手段を用いて本発明方法を実施する文字入力装置の一実施態様を示した、多機能ディジタル機器におけるコントローラの正面斜視図である。
【図１２】図３に示すキースイッチ手段を用いて本発明方法を実施する文字入力装置の別の実施態様を示した、多機能端末のコントローラの正面斜視図である。
【図１３】図２に示すキースイッチ手段を、液晶画面に表示されたキートップ模様とタッチパネルによって構成して、本発明を多機能端末のコントローラに適用した別の実施態様を示す、コントローラの正面斜視図である。
【図１４】図１３に示すコントローラの変形例を示すもので、タッチパネルとキートップ模様で形成されるキースイッチ手段と、そのキースイッチ手段の近傍に設けた文字入力に係る択一選択文字群を短縮選択する５個の短縮キースイッチを備えたコントローラの正面斜視図である。
【図１５】図２に示すキースイッチ手段を、適応した別の実施形態を示す携帯電話機の正面斜視図である。
【図１６】図３に示すキースイッチ手段を、適応した別の実施形態を示す、携帯電話機の正面斜視図である。
【図１７】図３に示すキースイッチ手段を、コンピュータ用入力端末に適用した別の実施形態を示す、コンピュータ用入力端末の正面斜視図である。
【図１８】キースイッチ手段におけるキー配列の別の実施形態を示す、１列式と２列式のキースイッチ手段の正面図で、。
【図１９】図１８の（ａ）に示す１列式のキースイッチ手段を、携帯端末に適用した別の実施形態を示す、携帯端末の正面図である。
【符号の説明】
（１Ａ）キースイッチ手段
（２）キースイッチ
（Ｓ）（Ｓ１）〜（Ｓ５）機能スイッチ
（２Ａ）文字入力用キースイッチ群
（３）（４）囲み線
（５）分離線
（２ａ）第１（上段の）文字入力用キースイッチ群
（２ｂ）第２（下段の）文字入力用キースイッチ群
（２ｃ）（２ｄ）キースイッチ
（１Ａ）（１Ｂ）（１Ｃ）（１Ｄ）キースイッチ手段
（６）母音文字群
（７）第１子音文字群
（８）（８１）〜（８５）第２子音文字群
（９）（９１）〜（９５）択一選択文字群
（１０）択一選択文字群番号
（１１Ａ）（１１Ｂ）コントローラ
（１２）（１２ａ）液晶表示画面
（１３）（１４）領域
（１５）４方向指示キー
（Ｗ）スイッチ
（１６）タッチパネル
（１７）キートップ模様
（１８）文字
（１９）直接選択機能スイッチ
（２０Ａ）（２０Ｂ）携帯電話機
（２１）コンピュータ用入力端末
（２２）下端部
（２３）正面平面部
（２４）液晶表示部
（２５）キースイッチ群
（２６）側面部
（２７）（２７ａ）キースイッチ
（２８）携帯端末
（２９）キートップ配列模様
（３０）液晶表示画面
（３１）表示領域
（３２）ペン
（３３）カーソルポインター
【図１】
2005078107.tif 000003
【図２】
2005078107.tif 000004
【図３】
2005078107.tif 000005
【図４】
2005078107.tif 000006
【図５】
2005078107.tif 000007
【図６】
2005078107.tif 000008
【図７】
2005078107.tif 000009
【図８】
2005078107.tif 000010
【図９】
2005078107.tif 000011
【図１０】
2005078107.tif 000012
【図１１】
2005078107.tif 000013
【図１２】
2005078107.tif 000014
【図１３】
2005078107.tif 000015
【図１４】
2005078107.tif 000016
【図１５】
2005078107.tif 000017
【図１６】
2005078107.tif 000018
【図１７】
2005078107.tif 000019
【図１８】
2005078107.tif 000020
【図１９】
2005078107.tif 000021